(57)【要約】【課題】要介護者の入浴を容易に行え、介助者の負担を軽減できる介護用入浴ユニットを提供する。【解決手段】マットレス１と、このマットレス１の上部に載置されるエア式浴槽２と、このエア式浴槽２の内側を覆う浴槽シーツ３と、を備える介護用入浴ユニットであって、浴槽シーツ３の底面シート３１から外側へ突設された排水管３３が、エア式浴槽２の浴槽底２１に形成された排水口２３に挿入され、マットレス１に内蔵可能な排水ホース４の差込口４２が、マットレス１の上面から露出し、排水口２３に接続される。【選択図】図１
2012231892.tif 000002
【特許請求の範囲】
【請求項１】
マットレスと、このマットレスの上部に載置されるエア式浴槽と、このエア式浴槽の内側を覆う浴槽シーツと、を備える介護用入浴ユニットであって、
前記浴槽シーツの底面シートから外側へ突設された排水管が、前記エア式浴槽の浴槽底に形成された排水口に挿入され、
前記マットレスに内蔵可能な排水ホースの差込口が、前記マットレスの上面から露出し、前記排水口に接続されることを特徴とする介護用入浴ユニット。
【請求項２】
前記マットレスは、上層マットと下層マットで構成され、
前記下層マットは、隙間を設けて並設された頭側の第１マットと足側の第２マットとを備え、
前記上層マットは、上下方向に貫通し、かつ前記隙間に連通する貫通孔を有することを特徴とする請求項１に記載の介護用入浴ユニット。
【請求項３】
前記エア式浴槽は、空気の注入により前記浴槽底の幅方向両側端から上方へ向かって膨張可能な左側壁及び右側壁と、前記左側壁及び右側壁にそれぞれ連接され、かつ補強板により補強された頭側の頭部側壁及び足側の足部側壁とを備えることを特徴とする請求項１又は２に記載の介護用入浴ユニット。
【請求項４】
前記エア式浴槽は、前記左側壁又は右側壁を跨いで、両端部を浴槽内外の前記浴槽底にそれぞれ固定したベルト部材を備えることを特徴とする請求項３に記載の介護用入浴ユニット。
【請求項５】
前記浴槽シーツは、前記エア式浴槽の内側を覆う前記底面シート及び４つの側面シートで構成され、
前記側面シートの上縁部には、前記側面シートと同じ幅のカーテン部材がそれぞれ延出されており、隣り合う前記カーテン部材どうしは、連結部材で連結可能であることを特徴とする請求項１〜４のいずれか１項に記載の介護用入浴ユニット。
【発明の詳細な説明】
【技術分野】
【０００１】
本発明は、マットレスと、このマットレスの上部に載置されるエア式浴槽と、このエア式浴槽の内側を覆う浴槽シーツと、を備える介護用入浴ユニットに関する。
【背景技術】
【０００２】
通常、身体障害者や寝たきりの高齢者（以下、要介護者という）を入浴させる場合、家族やホームヘルパーなどの介助者が要介護者を抱きかかえて浴槽に入れるか、要介護者を担架に乗せ、担架ごと又は担架から降ろして要介護者を浴槽に入れるようにしている。そのため、多数の介助者が必要であったり、介助者の肉体的、精神的な負担が大きかったりという問題がある。そこで、要介護者の入浴を容易に行えるように、要介護者を移動させずにベッドに寝かせたままの状態でベッド本体を浴槽として利用できるようにした介護用ベッドが提案されている（例えば、特許文献１，２）。
【０００３】
特許文献１の介護用ベッドの浴槽は、扁平に折り畳まれた状態でベッドの周囲の収納スペースに収納されている壁部を、空気を注入して所定形状に膨張させて使用される。浴槽の壁部はベッドに固定、収納されているため、入浴終了後に清掃、消毒を行いにくく、介助者に相当な負担となる。
【０００４】
また、特許文献２の介護用ベッドは、マットレスを載置する長方形の底板と、この底板の四辺に沿って立設した４つの側板とによって、マットレスを囲む箱形の浴槽を形成している。入浴時には、この箱形の浴槽の内側を覆った防水シートに湯を供給して使用されるが、入浴終了後には、ポンプを用いて浴槽上部から排水を行うため、介助者は排水しにくく、介助者に負担を強いることとなる。
【先行技術文献】
【特許文献】
【０００５】
【特許文献１】特開平４−７５６５６号公報
【特許文献２】特開平４−２８５５５５号公報
【発明の概要】
【発明が解決しようとする課題】
【０００６】
本発明は上記実情に鑑みてなされたものであり、その目的は、要介護者の入浴を容易に行え、介助者の負担を軽減できる介護用入浴ユニットを提供することにある。
【課題を解決するための手段】
【０００７】
上記目的は、下記の如き本発明により達成できる。即ち、本発明に係る介護用入浴ユニットは、マットレスと、このマットレスの上部に載置されるエア式浴槽と、このエア式浴槽の内側を覆う浴槽シーツと、を備える介護用入浴ユニットであって、
前記浴槽シーツの底面シートから外側へ突設された排水管が、前記エア式浴槽の浴槽底に形成された排水口に挿入され、
前記マットレスに内蔵可能な排水ホースの差込口が、前記マットレスの上面から露出し、前記排水口に接続されることを特徴とするものである。
【０００８】
この介護用入浴ユニットでは、要介護者をマットレスに寝かせたままの状態で、要介護者の下に折り畳んだ状態のエア式浴槽を敷き、空気を注入してエア式浴槽を膨張させて、浴槽シーツでエア式浴槽の内側を覆って入浴させることができる。そのため、要介護者を大きく移動させる必要は無く、要介護者の入浴を容易に行うことができ、介助者の負担は小さい。また、入浴後には、ポンプ等を用いずに、浴槽シーツ内の湯を排水ホースを介して容易に排水でき、さらに清掃、消毒は、浴槽シーツのみを行えばよいため、介助者の負担を軽減できる。
【０００９】
本発明の介護用入浴ユニットにおいて、前記マットレスは、上層マットと下層マットで構成され、前記下層マットは、隙間を設けて並設された頭側の第１マットと足側の第２マットとを備え、前記上層マットは、上下方向に貫通し、かつ前記隙間に連通する貫通孔を有することが好ましい。
【００１０】
この構成によれば、下層マットの第１マットと第２マットとの隙間に排水ホースを内蔵可能であって、上層マットの貫通孔を通して排水ホースの差込口をマットレスの上面から露出させることができ、浴槽シーツ内の湯を排水ホースを介して確実に排水できるため、介助者の負担を軽減できる。また、排水ホースが介助者の作業の邪魔になることもない。
【００１１】
本発明の介護用入浴ユニットにおいて、前記エア式浴槽は、空気の注入により前記浴槽底の幅方向両側端から上方へ向かって膨張可能な左側壁及び右側壁と、前記左側壁及び右側壁にそれぞれ連接され、かつ補強板により補強された頭側の頭部側壁及び足側の足部側壁とを備えることが好ましい。
【００１２】
この構成によれば、エア式浴槽の左側壁及び右側壁を浴槽底の幅方向両側端から上方へ向かって膨張可能に構成することで、要介護者の下に折り畳んだ状態のエア式浴槽を敷くのも容易となる。また、頭部側壁及び足部側壁は補強板により補強されているため、エア式浴槽の形状が保持されやすく、浴槽シーツ内の湯がこぼれるのを抑制できる。その結果、介助者の負担を効果的に軽減できる。
【００１３】
本発明の介護用入浴ユニットにおいて、前記エア式浴槽は、前記左側壁又は右側壁を跨いで、両端部を浴槽内外の前記浴槽底にそれぞれ固定したベルト部材を備えることが好ましい。
【００１４】
この構成によれば、浴槽シーツ内に湯を入れた場合、浴槽内のベルト部材に水圧が加わるため、左側壁及び右側壁が外側に膨らんで浴槽シーツ内の湯がこぼれるのを抑制でき、介助者の負担を軽減できる。
【００１５】
本発明の介護用入浴ユニットにおいて、前記浴槽シーツは、前記エア式浴槽の内側を覆う前記底面シート及び４つの側面シートで構成され、前記側面シートの上縁部には、前記側面シートと同じ幅のカーテン部材がそれぞれ延出されており、隣り合う前記カーテン部材どうしは、連結部材で連結可能であることが好ましい。
【００１６】
この構成によれば、カーテン部材どうしを連結することで入浴時に湯が周囲に飛散するのを防止できるため、入浴後の清掃が容易となり、介助者の負担を軽減できる。
【図面の簡単な説明】
【００１７】
【図１】本発明に係る介護用入浴ユニットの一例を示す分解斜視図
【図２】介護用入浴ユニットの排水構造周辺を示す断面図
【図３】マットレスの分解斜視図
【図４Ａ】エア式浴槽の幅方向における縦断面図
【図４Ｂ】エア式浴槽の長手方向における縦断面図
【図５】介護用入浴ユニットの使用手順を説明するための図
【図６】他の実施形態に係る介護用入浴ユニットの分解斜視図
【図７】他の実施形態に係るエア式浴槽の縦断面図
【図８】他の実施形態に係るエア式浴槽の縦断面図
【図９】他の実施形態に係るエア式浴槽及び浴槽シーツの斜視図
【図１０】他の実施形態に係るマットレスの分解斜視図
【発明を実施するための形態】
【００１８】
以下、本発明の実施形態について図面を参照しながら説明する。図１は本発明に係る介護用入浴ユニットの一例を示す分解斜視図である。本発明の介護用入浴ユニットは、マットレス１と、このマットレス１の上部に載置されるエア式浴槽２と、このエア式浴槽２の内側を覆う浴槽シーツ３と、を備える。マットレス１には、入浴に使用した湯を排水するための排水ホース４が内蔵可能となっている。この介護用入浴ユニットを使用して要介護者の入浴を行う際には、図の右上側が要介護者の頭側、左下側が要介護者の足側となる。この頭側と足側を結ぶ方向を長手方向ＬＤとし、長手方向ＬＤと直交する方向を幅方向ＷＤとする。また、図２は、介護用入浴ユニットの排水構造の周辺を示しており、（ａ）は分解図、（ｂ）は使用状態での組立図を示す。
【００１９】
図３はマットレス１の分解斜視図である。マットレス１は、略矩形板状となっており、上層マット１１と下層マット１２で構成されている。上層マット１１も略矩形板状となっている。上層マット１１の寸法は、例えば幅方向ＷＤの短辺が８３０ｍｍ、長手方向ＬＤの長辺が１９１０ｍｍであり、厚みが５０ｍｍである。上層マット１１には、幅方向ＷＤの中央であって、長手方向ＬＤの足側に貫通孔１１ａが形成されている。貫通孔１１ａは上層マット１１を上下方向（厚み方向）に貫通している。本実施形態の貫通孔１１ａは、四角形状となっており、少なくとも排水ホース４のホース径よりも大きくなるように形成される。
【００２０】
下層マット１２は、隙間１２ａを設けて並設された頭側の第１マット１２１と足側の第２マット１２２とを備えている。隙間１２ａは、少なくとも排水ホース４のホース径よりも大きくなるようにしている。第１マット１２１及び第２マット１２２は、それぞれ略矩形板状となっている。下層マット１２の隙間１２ａも含めた全体の寸法は、例えば短辺が９３０ｍｍ、長辺が１９１０ｍｍであり、厚みが７０ｍｍである。下層マット１２の厚みは、少なくとも排水ホース４のホース径よりも大きくなるようにしている。上層マット１１を下層マット１２の上に置いた状態では、上層マット１１の貫通孔１１ａは、下層マット１２の隙間１２ａに連通する。これにより、第１マット１２１と第２マット１２２との隙間１２ａに排水ホース４のホース部４１を収納し、このホース部４１を上方に向けて屈曲させることで上層マット１１の貫通孔１１ａを通して差込口４２をマットレス１の上面から露出させることができる。排水ホース４の出口４３は、下層マット１２のどちらか一方の側面から外へ出され、確実に排水される。したがって、通常、マットレス１は不図示のベッド上に置かれるが、マットレス１によって排水ホース４が押し潰されることはなく、また、排水ホース４が介助者の作業の邪魔になることもない。ただし、マットレス１の構成としては、これに限定されず、排水ホース４が内蔵可能な構成であればよい。
【００２１】
上層マット１１及び下層マット１２の材料としては、軟質ポリウレタンフォームが例示される。軟質ポリウレタンフォームは、ポリオール化合物を含むポリオール成分とポリイソシアネート化合物とを反応させて得られる。また、上層マット１１及び下層マット１２は、防水性を有するカバーでそれぞれ覆うことが好ましい。
【００２２】
上層マット１１の軟質ポリウレタンフォームの密度（コア密度）は、例えば２０〜８０ｋｇ／ｍ３である。上層マット１１の軟質ポリウレタンフォームは、密度が５０ｋｇ／ｍ３以下であることが好ましい。
【００２３】
上層マット１１の軟質ポリウレタンフォームの４０％硬さの下限値は特に限定されないが、硬さが低すぎる場合には下層マット１２の感触が伝わって感触が低下する場合があるため、３０Ｎ／３１４ｃｍ２以上であることが好ましく、５０Ｎ／３１４ｃｍ２以上であることがより好ましい。なお、上層マット１１の材料としては、低反発弾性フォームや高弾性フォームを用いることもできる。また、異なる２種以上の材料を積層して用いてもよい。
【００２４】
下層マット１２の軟質ポリウレタンフォームの特性は特に限定されるものではないが、クッション性を考慮すると、反発弾性率は２０％以上であることが好ましく、２５〜７０％であることがより好ましい。下層マット１２の軟質ポリウレタンフォームの密度は２０〜８０ｋｇ／ｍ３であることが好ましく、３０〜５０ｋｇ／ｍ３であることがより好ましい。上層マット１１並びに下層マット１２の軟質ポリウレタンフォームの密度は共に５０ｋｇ／ｍ３以下であることがより好ましい。
【００２５】
軟質ポリウレタンフォームの硬さは、例えばフォームを構成するポリウレタン重合体におけるイソシアネート化合物単位の重量比率により調整することができ、密度は発泡剤の添加量により調整することができる。
【００２６】
また、ひとつのマットレスカバーで上層マット１１及び下層マット１２を覆って、一体のマットレス１とすることが好ましい。これにより、マットレス１の取り扱いが容易となる。ただし、マットレスカバーにおいて、上層マット１１の貫通孔１１ａに対応する位置には、蓋により開閉可能な小窓を設けておく。同様に、マットレスカバーにおいて、下層マット１２の側面の隙間１２ａに対応する位置にも、蓋により開閉可能な小窓を設けておく。マットレスカバーの上面及び側面は、菌の増殖を抑制できる制菌加工が施された繊維材料で構成される。また、マットレスカバーの下面は、ポリエステル１００％のスムースニットで構成される。
【００２７】
図４Ａは図１に示すエア式浴槽２の幅方向ＷＤにおける縦断面図、図４Ｂはエア式浴槽２の長手方向ＬＤにおける縦断面図である。エア式浴槽２は、浴槽底２１と、空気の注入により浴槽底２１の幅方向両側端から上方へ向かって膨張可能な左側壁２２１及び右側壁２２２と、左側壁２２１及び右側壁２２２にそれぞれ連接され、かつ補強板により補強された頭側の頭部側壁２２３及び足側の足部側壁２２４とを備えている。
【００２８】
浴槽底２１は、マットレス１の上面とほぼ同じ寸法となっており、エア式浴槽２は、マットレス１の上面に安定して載置することができる。浴槽底２１には、排水口２３が形成されている。排水口２３は、エア式浴槽２をマットレス１に載置した状態で、上層マット１１の貫通孔１１ａに対応する位置に形成されている。排水口２３には、下方に突出するようにホース接続筒２３ａが設けられている。ホース接続筒２３ａは、フランジ付きの樹脂パイプであり、フランジ部分が浴槽底２１に高周波ウェルダーにより溶融接着されている。また、ホース接続筒２３ａの外周面には、雄ネジが形成されている。一方、排水ホース４の差込口４２には、ホース接続筒２３ａの雄ネジに螺合接続する雌ネジが形成されている。ホース部４１の端部にはゴムパッキン４４が設けられており、差込口４２をホース接続筒２３ａに接続した際に、ホース接続筒２３ａとホース部４１との隙間をシールする。
【００２９】
左側壁２２１及び右側壁２２２は、多段型の空気室からなる。本実施形態の左側壁２２１は、３段の空気室２２１ａ，２２１ｂ，２２１ｃからなり、各空気室は、空気膨張式のチューブとなっている。同様に、右側壁２２２も、３段の空気室２２２ａ，２２２ｂ，２２２ｃからなり、各空気室は、空気膨張式のチューブとなっている。この多段型の空気室の段数については特に限定されないが、実用的には３段が好ましい。また、各空気室は、互いに繋がっており、ひとつの給排気バルブ（不図示）から空気を注入することにより同時に膨張させることができる。
【００３０】
頭部側壁２２３及び足部側壁２２４の幅方向ＷＤの両端は、それぞれ左側壁２２１と右側壁２２２に連結されている。また、頭部側壁２２３及び足部側壁２２４の下端は、浴槽底２１に連結されている。頭部側壁２２３は、２枚のシート状部材の間に内蔵された補強板２２３ａにより補強されている。補強板２２３ａとしては、例えば厚さ５ｍｍの樹脂板を用いることができる。また、補強板２２３ａは、幅方向ＷＤに複数に分割し、折り畳んでコンパクトになるように構成するのが好ましい。足部側壁２２４は、２枚のシート状部材の間に挿入された補強板２２４ａにより補強されている。補強板２２４ａとしては、例えば厚さ９ｍｍのＭＤＦ（中密度繊維板）を用いることができる。補強板２２４ａの材料としては、軽量、高剛性の板材であればよく、ＭＤＦのほかパーティクルボード、樹脂成形品などを用いることもできる。
【００３１】
エア式浴槽２の材質としては、合成繊維の織布又は不織布に熱可塑性ポリウレタンをコーティングした引布からなるものが好ましい。合成繊維としては、特に限定されないが、融着加工性、耐水性、機械的強度などの観点からポリアミド繊維が好ましく、特に６−６ナイロン繊維が好ましい。引布の厚みは、０．１〜０．７ｍｍの範囲が好ましい。
【００３２】
また、エア式浴槽２は、各側壁２２１〜２２４の下部にマットレス１の側面を覆うスカート部２４を設けるようにしてもよい。これにより、マットレス１の水濡れを防止することができる。
【００３３】
浴槽シーツ３は、エア式浴槽２の内側を覆う底面シート３１及び４つの側面シート３２で構成されている。浴槽シーツ３は、底面シート３１から外側へ突設された排水管３３を備える。排水管３３は、フランジ付きの樹脂パイプであり、フランジ部分が底面シート３１に高周波ウェルダーにより溶融接着されている。排水管３３は、エア式浴槽２の浴槽底２１に形成された排水口２３に挿入される。排水管３３は、排水口２３に挿入した際に水漏れしないように、排水管３３を弾性材で構成し、排水管３３の外周面と排水口２３の内周面とを嵌合状態にするのが好ましい。ただし、排水口２３の内周面にＯリングを設けて排水管３３と排水口２３の接続箇所をシールするようにしてもよい。排水管３３は、排水口栓３６により閉塞することができる。
【００３４】
浴槽シーツ３の材質としては、合成繊維の織布又は不織布に熱可塑性ポリウレタンをコーティングした引布からなるものが好ましい。合成繊維としては、特に限定されないが、融着加工性、耐水性、機械的強度などの観点からポリアミド繊維が好ましく、特に６−６ナイロン繊維が好ましい。引布の厚みは、０．２〜３．０ｍｍの範囲が好ましい。さらに、底面シート３１の内面側は、滑り防止のために布地ラミネートを行うことが好ましい。
【００３５】
介護用入浴ユニットの使用手順について図５を用いて簡単に説明する。初めに、図５（ａ）のように、マットレス１に寝ている要介護者の体位を変更させ、折り畳んだ状態のエア式浴槽２を要介護者の横に置く。浴槽シーツ３は、予めエア式浴槽２の内側に設置し、エア式浴槽２とともに折り畳んだ状態としておく。次いで、マットレス１に排水ホース４を通し、排水ホース４の差込口４２をエア式浴槽２のホース接続筒２３ａに接続する。
【００３６】
図５（ｂ）のように、折り畳んだ状態のエア式浴槽２と浴槽シーツ３を要介護者の下に完全に広げて敷き、次いで図５（ｃ）のように、エア式浴槽２に空気を注入して左側壁２２１及び右側壁２２２を膨張させる。図５（ｄ）のように、浴槽シーツ３の排水管３３に排水口栓３６をし、要介護者の入浴を行う。入浴終了後には、湯を排水し、前記と逆の手順で片付けを行えばよい。
【００３７】
＜別実施形態＞
（１）本発明の介護用入浴ユニットにおいて、図６のように、エア式浴槽２の側壁２２１〜２２４に強制排水口２５を形成してもよい。浴槽シーツ３の側面シート３２には、外側へ突出した強制排水管３４を設け、この強制排水管３４を強制排水口２５に挿入する。強制排水口２５は、分岐させた排水ホース４の差込口４２と接続される。強制排水口２５は、例えば足側の足部側壁２２４の上部に設けることができ、入浴時に側壁２２１〜２２４の上端から湯がこぼれるのを防ぐことができる。なお、強制排水管３４の外周面に、排水ホース４の差込口４２に形成された雌ネジに螺合接続可能な雄ネジを形成し、排水ホース４の差込口４２を浴槽シーツ３の強制排水管３４に直接接続するようにしてもよい。この際、エア式浴槽２の強制排水口２５は、強制排水管３４に対応する位置に設けられた貫通孔とする。
【００３８】
（２）本発明において、図７のように頭部側壁２２３及び足部側壁２２４も浴槽底２１から上方へ向かって膨張可能な構成としてもよい。この場合、すべての側壁２２１〜２２４を一体の枠体として構成してもよい。また、頭部側壁２２３及び足部側壁２２４は、外側にそれぞれカバー部材２６を設けて、カバー部材２６との間に補強板２２３ａ，２２４ａを挿入して補強することが好ましい。
【００３９】
（３）また、本発明において、図８のように、エア式浴槽２は、左側壁２２１又は右側壁２２２を跨いで、両端部を浴槽内外の浴槽底２１にそれぞれ固定したベルト部材２７を備えることが好ましい。ベルト部材２７は、長手方向ＬＤの中央付近に設けられる。これにより、浴槽シーツ３内に湯を入れた場合、浴槽内のベルト部材２７に水圧が加わるため、左側壁２２１及び右側壁２２２が外側に膨らんで浴槽シーツ３内の湯がこぼれるのを抑制できる。
【００４０】
（４）また、本発明において、図９のように、浴槽シーツ３の側面シート３２の上縁部には、側面シート３２と同じ幅のカーテン部材３５がそれぞれ延出されており、隣り合うカーテン部材３５どうしは、連結部材で連結可能であることが好ましい。連結部材としては、お互いのカーテン部材３５の幅方向端縁部に設けられたファスナー等が例示される。カーテン部材３５は、エア式浴槽２の四隅にそれぞれコーナーポール５１を立て、これらのコーナーポール５１の上端に横方向に渡した横ポール５２に吊り下げるようにして固定すればよい。また、長手方向ＬＤに並んだコーナーポール５１の間に、横ポール５２のたわみを防止するためにセンターポール５３を追加してもよい。
【００４１】
（５）エア式浴槽２は、枕部材を備えるようにしてもよい。この際、枕部材は、エア式浴槽２の内側に一体として形成するのが好ましい。
【００４２】
（６）また、本発明において、図１０のように、下層マット１２の隙間１２ａを埋めるスペーサー部材１２３を設けてもよい。スペーサー部材１２３は、２つ設けるのが好ましい。入浴を行わないときは、２つのスペーサー部材１２３を用いて隙間１２ａを埋め、入浴時には、一方のスペーサー部材１２３のみを外して、隙間１２ａに排水ホース４を通すようにすればよい。さらに、入浴を行わないときに上層マット１１の貫通孔１１ａを埋めるスペーサー部材１２４を設けてもよい。スペーサー部材１２４は、断面が貫通孔１１ａと同じ形状で、高さがマットレス１の厚み（上層マット１１と下層マット１２を合わせた厚み）となるようにしている。
【００４３】
（７）本発明の上層マット１１及び下層マット１２を構成する材料は前記のものに限定されず、公知のマットレスに使用される材料を使用することができる。例えば、熱可塑性弾性樹脂の連続線条のランダムループからなり、前記連続線条の接触部の大部分が融着された３次元立体構造網状体；市販品ブレスエア（東洋紡績）等を使用することができ、単独、又は２種以上を積層して使用することができる。また、上層マット１１及び／又は下層マット１２を構成する材料として、硬綿を使用することもできる。また、褥瘡レベルの高い要介護者の場合、上層マット１１及び／又は下層マット１２をエアーマットとしてもよい。
【符号の説明】
【００４４】
１    マットレス
２    エア式浴槽
３    浴槽シーツ
４    排水ホース
１１    上層マット
１１ａ  貫通孔
１２    下層マット
１２ａ  隙間
２１    浴槽底
２３    排水口
２３ａ  ホース接続筒
２７    ベルト部材
３１    底面シート
３２    側面シート
３３    排水管
３５    カーテン部材
４１    ホース部
４２    差込口
１２１    第１マット
１２２    第２マット
２２１    左側壁
２２２    右側壁
２２３    頭部側壁
２２３ａ  補強板
２２４    足部側壁
２２４ａ  補強板
【図１】
2012231892.tif 000003
【図２】
2012231892.tif 000004
【図３】
2012231892.tif 000005
【図４Ａ】
2012231892.tif 000006
【図４Ｂ】
2012231892.tif 000007
【図５】
2012231892.tif 000008
【図６】
2012231892.tif 000009
【図７】
2012231892.tif 000010
【図８】
2012231892.tif 000011
【図９】
2012231892.tif 000012
【図１０】
2012231892.tif 000013